(57)【要約】  無線通信方法は、時間多重された複数の参照信号（ＲＳ）を基地局（ＢＳ）からユーザ装置（ＵＥ）へ送信することを具備する。複数のＲＳは同じ周波数位置で多重化される。複数のＲＳは共通符号を適用する。方法は、共通符号を示すリソース情報をＢＳからＵＥへ送信することを更に具備する。方法は、所定の期間内の複数のＲＳの送信数をＢＳがＵＥに通知することを更に具備する。複数のＲＳは、連続する間隔で送信される。方法は、連続する間隔の各々をＢＳがＵＥに通知することを更に具備する。
2020503709.tif 000002
【特許請求の範囲】
【請求項１】
時間多重された複数の参照信号（ＲＳ）を基地局（ＢＳ）からユーザ装置（ＵＥ）へ送信すること、を具備し、
前記複数のＲＳは同じ周波数位置で多重化される、無線通信方法。
【請求項２】
前記複数のＲＳは共通符号を適用する、請求項１に記載の無線通信方法。
【請求項３】
前記周波数位置を示すリソース情報を前記ＢＳから前記ＵＥへ送信すること、を更に具備する、請求項１に記載の無線通信方法。
【請求項４】
前記共通符号を示すリソース情報を前記ＢＳから前記ＵＥへ送信すること、を更に具備する、請求項２に記載の無線通信方法。
【請求項５】
所定期間内の前記複数のＲＳの送信数を前記ＢＳが前記ＵＥに通知すること、を更に具備する、請求項１に記載の無線通信方法。
【請求項６】
前記送信することは、前記複数のＲＳを連続する間隔で送信する、請求項１に記載の無線通信方法。
【請求項７】
前記連続する間隔の各々を前記ＢＳが前記ＵＥに通知すること、を更に具備する、請求項６に記載の無線通信方法。
【請求項８】
前記通知することは、時間オフセットの位置を通知する、請求項７に記載の無線通信方法。
【請求項９】
前記送信することは、前記複数のＲＳを１つのアンテナポート又は２つのアンテナポートを用いて送信する、請求項１に記載の無線通信方法。
【請求項１０】
前記送信することは、前記複数のＲＳを複数の送信リソースを用いて送信し、
前記無線通信方法は、
前記複数の送信リソースの内の一部から送信リソースを前記ＵＥが選択すること、を更に具備する、請求項１に記載の無線通信方法。
【請求項１１】
前記複数のＲＳに対する空間的Ｑｕａｓｉ  ｃｏ−ｌｏｃａｔｉｏｎ情報を前記ＢＳが前記ＵＥに通知すること、を更に具備する、請求項１に記載の無線通信方法。
【請求項１２】
前記複数のＲＳに対する空間的ＱＣＬを示す情報を前記ＢＳが前記ＵＥに通知すること、を更に具備する、請求項１に記載の無線通信方法。
【請求項１３】
前記複数のＲＳに同一の空間的ＱＣＬが適用できるか否かを示す情報を前記ＢＳが前記ＵＥに通知すること、を更に具備する、請求項１に記載の無線通信方法。
【請求項１４】
同一の空間的ＱＣＬを仮定して前記複数のＲＳを前記ＵＥが受信できるか否かを示す情報を前記ＢＳが前記ＵＥに通知すること、を更に具備する、請求項１に記載の無線通信方法。
【請求項１５】
前記送信することは、前記複数のＲＳを複数の送信リソースを用いて送信し、
前記無線通信方法は、
前記複数のＲＳに基づいて前記複数の送信リソースから少なくとも１つの送信リソースを前記ＵＥが選択することと、
選択された前記送信リソースを示すフィードバック情報を前記ＵＥから前記ＢＳへ送信すること、を更に具備する、請求項１に記載の無線通信方法。
【請求項１６】
前記送信することは、前記複数のＲＳを複数の送信リソースを用いて送信し、
前記無線通信方法は、
前記複数のＲＳに基づいて前記複数の送信リソースから少なくとも１つの送信リソースを前記ＵＥが選択することと、
選択された前記送信リソースを示すフィードバック情報を前記ＵＥから前記ＢＳへ送信すること、を更に具備する、請求項１に記載の無線通信方法。
【請求項１７】
前記フィードバック情報は、選択された前記ビームに対応するビームインデックス又はチャネル状態情報（ＣＳＩ）−ＲＳリソースインジケータ（ＣＲＩ）を含む、請求項１６に記載の無線通信方法。
【請求項１８】
前記フィードバック情報は、選択された前記リソースの受信品質を含む、請求項１６に記載の無線通信方法。
【請求項１９】
基地局（ＢＳ）から送信された複数の参照信号（ＲＳ）に適用された複数の送信リソースから少なくとも１つの送信リソースを前記複数のＲＳの受信品質に基づいてユーザ装置（ＵＥ）が選択することと、
選択された前記送信リソースを示すフィードバック情報を前記ＵＥから前記ＢＳへ送信すること、を具備する、無線通信方法。
【請求項２０】
前記フィードバック情報は、選択された前記ビームに対応するビームインデックス又はチャネル状態情報（ＣＳＩ）−ＲＳリソースインジケータ（ＣＲＩ）を含む、請求項１９に記載の無線通信方法。
【発明の詳細な説明】
【技術分野】
【０００１】
本発明は、一般的に、無線通信方法に関し、より詳細には、参照信号（ＲＳ）の送信及び該ＲＳを用いたリソース選択の方法に関する。
【背景技術】
【０００２】
Ｌｏｎｇ  Ｔｅｒｍ  Ｅｖｏｌｕｔｉｏｎ（ＬＴＥ）及びＬＴＥ−Ａｄｖａｎｃｅｄ（ＬＴＥ−Ａ）標準はフルデジタルビームフォーミングをサポートする。フルデジタルビームフォーミングでのビームフォーミング及びプリコーディング動作は、図１Ａに示すようなベースバンドデジタル回路で実施される。
【０００３】
さらに、新たな無線（ＮＲ；第５世代（５Ｇ）無線アクセス技術）等の広い周波数帯域幅を有するより高いキャリアに対しては、高いサンプリング周波数を有する多数のデジタル−アナログ変換器（ＤＡＣ）を備えることが実現できないことがある。したがって、図１Ｂに示すようなアナログ回路でビームフォーミング（アナログビームフォーミング）を実施することが効率的であることがある。ＤＡＣは、ＴＸＲＵ（トランシーバユニット）等とも称される。アナログプリコーダは、位相・振幅コントローラから構成される。アナログプリコーダはスイッチとして動作できる。
【０００４】
Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）では、図１Ｃに示すようなアナログ回路及びデジタル回路の両方でのビームフォーミングを利用するハイブリッドビームフォーミングが検討されている。ハイブリッドビームフォーミングは、デジタルビームフォーミングとアナログビームフォーミングとの間の良好なトレードオフを実現できる。このことは、ハイブリッドビームフォーミングシステムに対してプリコーディング動作を効率的に実施することを可能にする。
【０００５】
一方、一般的に、下りリンク参照信号を用いてプリコーディングベクトルを決定するための方法は、非プリコード（ＮＰ）チャネル状態情報−参照信号（ＣＳＩ−ＲＳ）を用いる方法、又はビームフォームド（ＢＦ）ＣＳＩ−ＲＳを用いる方法として分類される。
【０００６】
ＮＰ  ＣＳＩ−ＲＳを用いる方法に従えば、基地局（ＢＳ）は、ＢＳの複数のＴｘアンテナから異なる参照信号シーケンスを送信し、そして、ユーザ装置（ＵＥ）は、参照信号シーケンスに基づいてチャネル推定を実施し、ＣＳＩフィードバックをＢＳへ送信する。例えば、ＣＳＩフィードバックは、プリコーディングマトリクスインジケータ（ＰＭＩ）を含んでもよい。例えば、ＣＳＩフィードバックは、行チャネル情報、固有ベクトル、及び固有値等の明確なチャネル情報を含んでもよい。
【０００７】
ＢＦ  ＣＳＩ−ＲＳを用いる方法に従えば、ＢＳは、ＢＳの複数のＴｘアンテナからＢＦ参照信号を送信し、そして、ＵＥは、ビームフォーミングの適用後に有効チャネルを推定し、ＣＳＩフィードバックをＢＳへ送信する。例えば、複数のＢＦ  ＣＳＩ−ＲＳを用いる方法では、最高の受信品質を有する有効チャネルが選択されてもよい。例えば、ＵＥは、有効チャネルに対応するＣＳＩフィードバックをＢＳへ送信してもよい。
【０００８】
ハイブリッドビームフォーミング中のアナログビームフォーミング部を含むアナログビームフォーミングでは、回路の構成に起因してＢＦ  ＣＳＩ−ＲＳが使用されると想定される。しかしながら、アナログビームフォーミング動作では、サブバンドのプリコーディングが実施できず、それ故、ビームが短期間に切り換えられる必要がある。
【先行技術文献】
【非特許文献】
【０００９】
【非特許文献１】３ＧＰＰ，  ＴＳ  ３６．２１１  Ｖ  １３．２．０
【００１０】
【非特許文献２】３ＧＰＰ，  ＴＳ  ３６．２１３  Ｖ  １３．２．０
【発明の概要】
【００１１】
本発明の１つ以上の実施形態に従えば、無線通信方法は、時分割多重された複数の参照信号（ＲＳ）を基地局（ＢＳ）からユーザ装置（ＵＥ）へ送信することを具備する。複数のＲＳは、同じ周波数位置で多重化されてもよく、選択された送信リソースを含むフィードバック情報をＵＥからＢＳへ送信することを具備する。
【００１２】
本発明の１つ以上の実施形態に従えば、無線通信方法は、複数の参照信号（ＲＳ）の受信品質に基づいて、基地局（ＢＳ）から送信された複数のＲＳに適用された複数の送信リソースから少なくとも１つの送信リソースをユーザ装置（ＵＥ）が選択することを含む。
【００１３】
本発明の１つ以上の実施形態に従えば、アナログビーム選択方法は、基地局（ＢＳ）が直交周波数分割多重（ＯＦＤＭ）シンボル毎の複数のビームでビームスイープすることと、複数のビームを用いてＢＳからユーザ装置（ＵＥ）へ参照信号（ＲＳ）を送信することとを具備する。
【図面の簡単な説明】
【００１４】
【図１Ａ】デジタルビームフォーミングに用いられる回路を示す図である。
【図１Ｂ】アナログビームフォーミングに用いられる回路を示す図である。
【図１Ｃ】ハイブリッドビームフォーミングに用いられる回路を示す図である。
【図２】本発明の１つ以上の実施形態に従った無線通信システムの構成を示す図である。
【図３】本発明の１つ以上の実施形態に従ったＢＳのアンテナ構成を示す図である。
【図４】本発明の１つ以上の実施形態に従ったＢＳの回路の構成を示す図である。
【図５】本発明の第１の実施例の１つ以上の実施形態に従ったアナログビーム選択スキームを示す図である。
【図６】本発明の第１の実施例の１つ以上の実施形態に従ったアナログビーム選択スキームに基づくＣＳＩ−ＲＳ送信及びＣＳＩフィードバックの例示的動作を示すシーケンス図である。
【図７】本発明の第２の実施例の１つ以上の実施形態に従ったアナログビーム選択スキームにおいてビームを多重化するための方法の一例を示す図である。
【図８】本発明の第２の実施例の１つ以上の実施形態に従ったアナログビーム選択スキームにおいてビームを多重化するための方法の別の例を示す図である。
【図９Ａ】本発明の第１及び第２の実施例の１つ以上の実施形態に従ったアナログビーム及びアンテナポートにＦＤＭが適用された一例を示す図である。
【図９Ｂ】本発明の第１及び第２の実施例の１つ以上の実施形態に従ったアナログビーム及びアンテナポートにＦＤＭ及びＣＤＭが適用された一例を示す図である。
【図９Ｃ】本発明の第１及び第２の実施例の１つ以上の実施形態に従った複数のアナログビーム及びアンテナポートにＣＤＭが適用された一例を示す図である。
【図９Ｄ】本発明の第１及び第２の実施例の１つ以上の実施形態に従った複数のアナログビーム及びアンテナポートにＦＤＭ及びＣＤＭが適用された一例を示す図である。
【図１０Ａ】本発明の第１及び第２の実施例の別の例の１つ以上の実施形態に従ったアナログビーム選択スキームに基づくＣＳＩ−ＲＳ送信及びＣＳＩフィードバックの例示的動作を示すシーケンス図である。
【図１０Ｂ】本発明の第１及び第２の実施例の別の例の１つ以上の実施形態に従ったアナログビーム選択スキームを示す図である。
【図１１】本発明の第２の実施例の別の例の１つ以上の実施形態に従ったＢＳの回路の構成を示す図である。
【図１２Ａ】本発明の第３の実施例の１つ以上の実施形態に従ったハイブリッドビームフォーミングにおけるデジタルビーム選択方法を示す図である。
【図１２Ｂ】本発明の第３の実施例の１つ以上の実施形態に従ったハイブリッドビームフォーミングにおけるデジタルビーム選択方法を示す図である。
【図１２Ｃ】本発明の第３の実施例の１つ以上の実施形態に従ったハイブリッドビームフォーミングにおけるデジタルビーム選択方法を示す図である。
【図１２Ｄ】本発明の第３の実施例の１つ以上の実施形態に従ったハイブリッドビームフォーミングにおけるデジタルビーム選択方法を示す図である。
【図１３】本発明の第４の実施例の１つ以上の実施形態に従ったアナログビームのＴｘタイミングと関連付けられたアンテナパネルを示すテーブルを示す図である。
【図１４】本発明の１つ以上の実施形態に従った基地局の概略的構成を示すブロック図である。
【図１５】本発明の１つ以上の実施形態に従ったユーザ装置の概略的構成を示すブロック図である。
【発明を実施するための形態】
【００１５】
以下、本発明の実施形態について、図面を参照して詳細に説明する。本発明の実施形態では、本発明のより完全な理解を提供するために、多くの具体的な詳細が記載されている。しかしながら、これらの具体的な詳細なしに本発明を実施できることは当業者には明らかであろう。他の例では、本発明を不明瞭にすることを避けるために、周知の特徴を詳細には説明していない。
【００１６】
図２は、本発明の１つ以上の実施形態に従った無線通信システム１を説明する。無線通信システム１は、ユーザ装置（ＵＥ）１０、基地局（ＢＳ）２０、及びコアネットワーク３０を含む。無線通信システム１は、新たな無線（ＮＲ）システム、ＬＴＥ／ＬＴＥ−Ａｄｖａｎｃｅｄ（ＬＴＥ−Ａ）システム、又はその他のシステムであってもよい。無線通信システム１は、本明細書に記述される特定の構成に限定されず、任意の種類の無線通信システムであってもよい。
【００１７】
基地局ＢＳ２０は、セル内のＵＥ１０と、上りリンク（ＵＬ）及び下りリンク（ＤＬ）の信号を通信してもよい。ＤＬ及びＵＬの信号は、制御信号及びユーザデータを含んでもよい。ＢＳ２０は、バックホールリンク３１を介してコアネットワーク３０とＤＬ及びＵＬの信号を通信してもよい。ＢＳ２０は、ｇＮｏｄｅＢ（ｇＮＢ）であってもよい。ＢＳ２０は、複数のＣＳＩ−ＲＳを複数のビームを用いてＵＥ１０へ送信してもよい。本発明の１つ以上の実施形態では、ＣＳＩ−ＲＳは参照信号（ＲＳ）の一例である。本発明の１つ以上の実施形態では、ビームはリソースの一例である。
【００１８】
ＢＳ２０は、アンテナ、隣接するＢＳ２０と通信するための通信インターフェース（例えば、Ｘ２インターフェース）、コアネットワーク３０と通信するための通信インターフェース（例えば、Ｓ１インターフェース）、及びＵＥ１０との送受信信号を処理するためのプロセッサ又は回路等のＣｅｎｔｒａｌ  Ｐｒｏｃｅｓｓｉｎｇ  Ｕｎｉｔ（ＣＰＵ）を具備する。ＢＳ２０の動作は、メモリに格納されたデータ及びプログラムを処理又は実行するプロセッサによって実装されてもよい。しかしながら、ＢＳ２０は、上述したハードウェア構成に限定されず、当業者に理解されるようなその他の適切なハードウェア構成によって実現されてもよい。無線通信システム１のより広いサービスエリアをカバーするように、複数のＢＳ２０が配備されてもよい。
【００１９】
ＵＥ１０は、制御情報及びユーザデータを含むＤＬ及びＵＬの信号をＢＳ２０と通信してもよい。ＵＥ１０は、移動局、スマートフォン、携帯電話、タブレット、モバイルルータ、又はウェアラブル機器等の無線通信機能を有する情報処理装置であってもよい。無線通信システム１は１つ以上のＵＥ１０を含んでもよい。
【００２０】
ＵＥ１０は、プロセッサ等のＣＰＵ、ＲＡＭ（ランダムアクセスメモリ）、フラッシュメモリ、及びＢＳ２０とＵＥ１０との間で無線信号を送受信するための無線通信装置を具備する。例えば、以下で説明するＵＥ１０の動作は、メモリに格納されたデータ及びプログラムを処理又は実行するＣＰＵによって実装されてもよい。しかしながら、ＵＥ１０は、上述したハードウェア構成に限定されず、例えば、以下で説明される処理を実現するための回路を用いて構成されてもよい。
【００２１】
図３は、本発明の１つ以上の実施形態ＢＳ２０のアンテナ構成を示す図である。図３に示すように、ＢＳ２０は、１つ以上の直交偏波アンテナエレメント２０１１から構成されるアンテナエレメントグループ２０１を含む。例えば、アンテナパネルはアンテナエレメントグループ２０１に対応する。例えば、アンテナの構成は、以下のように定義されてもよい。
【００２２】
（Ｍ、Ｎ、Ｐ、Ｍｇ、Ｎｇ）＝（アンテナパネル毎の垂直エレメントの数、アンテナパネル毎の水平エレメントの数、偏波面の数、垂直方向のアンテナパネルの数、水平方向のアンテナパネルの数）
【００２３】
アンテナパネルの構成は、アンテナパネルの物理的構成に限定されず、アンテナパネルの論理的構成であってもよい。さらに、アンテナエレメントグループ２０１は、アンテナエレメントグループ２０１が所定範囲のアンテナエレメント２０１１を含むように設定されてもよい。
【００２４】
図４は、本発明の１つ以上の実施形態に従ったハイブリッドビームフォーミングのためのＢＳ２０の回路の構成を示す図である。ＢＳ２０の回路は、ベースバンドプリコーダ２００１、デジタル−アナログ変換器（ＤＡＣ）２００２、及びアナログプリコーダ２００３を具備する。本発明の１つ以上の実施形態では、ＢＳ２０の回路は、デジタル回路及びアナログ回路の両方の機能（構成）を含んでもよい。ＢＳ２０の回路は、デジタル及びアナログのビームフォーミング動作を組み合わせることによるハイブリッドビームフォーミング動作に使用されてもよい。１つのアンテナエレメント２０１１及び偏波は１つのＤＡＣ２００２に対応してもよい。アナログプリコーダ２００３は位相・振幅コントローラを含む。さらに、ＢＳ２０のアンテナエレメント２０１１の構成は、上述の構成に限定されず、アンテナエレメント２０１１の別の構成、及びフル接続を含む仮想化方法に基づく構成であってもよい。さらに、図３のアンテナエレメントグループ２０１は相互に隣接するが、アンテナエレメントグループ２０１は相互に隣接しなくてもよい。
【００２５】
（第１の実施例）
以下、本発明の第１の実施例の実施形態について、図５及び図６を参照して詳細に説明する。ＢＳ２０がハイブリッドビームフォーミング動作のアナログ又はアナログビームフォーミング部分を実施する場合、ハイブリッドビームフォーミング動作のアナログ又はアナログビームフォーミング部分ではサブバンドのプリコーディングが実施できないので、短い期間でビームが切り換えられる必要がある。本発明の第１の実施例の１つ以上の実施形態に従えば、ＢＳ２０からの複数のＣＳＩ−ＲＳ（ビーム）は、アナログビーム選択スキームとして、ＢＳ２０のアンテナで時分割多重されてもよい。例えば、複数のＣＳＩ−ＲＳは同じ周波数位置で多重化されてもよい。複数のＲＳ（又はＣＳＩ−ＲＳポート）は、共通符号を用いて符号分割多重が適用されてもよい。
【００２６】
例えば、ＢＳ２０は、全てのアンテナエレメント２０１１を用いて、単位時間毎に単一のビームを送信してもよい。図５に示すように、複数のＣＳＩ−ＲＳ（例えば、ＣＳＩ−ＲＳ＃１、＃２、・・・、＃ｎ）の各々に適用された複数のビーム（例えば、ビーム＃１、＃２、・・・、＃ｎ）の各々は、全てのアンテナエレメント２０１１から間隔Ｐ２で送信されてもよい。言い換えれば、ＢＳ２０は、間隔Ｐ２でビームスイープを実施してもよい。間隔Ｐ２は単位時間と称される。ＢＳ２０は間隔Ｐ２をＵＥに通知してもよい。図５では、期間Ｐ１は、例えば、第１のビーム＃１と第２のビーム＃２との間の時間範囲である。したがって、ＢＳ２０は、複数のビーム（例えば、ビーム＃１、＃２、・・・、＃ｎ）を用いて期間Ｐ１内に時分割多重された複数のＣＳＩ−ＲＳ（例えば、ＣＳＩ−ＲＳ＃１、＃２、・・・、＃ｎ）を送信してもよい。
【００２７】
図６は、本発明の第１の実施例の１つ以上の実施形態に従ったアナログビーム選択スキームに基づくＣＳＩ−ＲＳ送信及びＣＳＩフィードバックの例示的動作を示すシーケンス図である。
【００２８】
図６に示すように、ステップＳ１０１において、ＢＳ２０は、リソース情報をＵＥ１０へ送信してもよい。例えば、リソース情報は、時分割多重されるＣＳＩ−ＲＳの時間位置を含む。例えば、リソース情報は、周波数多重されるＣＳＩ−ＲＳの周波数位置と、符号分割多重（ＣＤＭ）ＣＳＩ−ＲＳに用いられる符号とを含む。例えば、リソース情報は、所定期間（例えば、期間Ｐ１）内の複数のＣＳＩ−ＲＳの送信数を含む。例えば、リソース情報は、複数のＣＳＩ−ＲＳの送信の間隔（例えば、間隔Ｐ２）を示す情報を含む。さらに、リソース情報は、間隔（例えば、間隔Ｐ２）に加えて時間オフセットの位置を示す情報を含む。リソース情報は、マスタ情報ブロック（ＭＩＢ）、システム情報ブロック（ＳＩＢ）、無線リソース制御（ＲＲＣ）シグナリング、並びにＭＡＣ  ＣＥ及び／又は下りリンク制御情報（ＤＣＩ）を用いる下位レイヤシグナリングを用いて送信されてもよい。
【００２９】
そして、ステップＳ１０２において、ＢＳ２０は、時分割多重された複数のＣＳＩ−ＲＳ＃１、＃２、・・・、及び＃ｎを複数のビーム（送信リソース）＃１、＃２、・・・、及び＃ｎを用いてそれぞれ送信してもよい。
【００３０】
ステップＳ１０２において、複数のＣＳＩ−ＲＳ＃１、＃２、・・・、及び＃ｎは、連続する間隔（例えば、間隔Ｐ２）で送信されてもよい、例えば、ＣＳＩ−ＲＳ＃１とＣＳＩ−ＲＳ＃２との送信間隔は間隔Ｐ２であってもよい。連続する間隔は、直交周波数分割多重（ＯＦＤＭ）シンボル又はサブフレームであってもよい。
【００３１】
ステップＳ１０２において、複数のＣＳＩ−ＲＳは、同じ周波数位置で周波数多重されてもよい。こうしたケースでは、リソース情報は、同じ周波数位置を示してもよい。複数のＣＳＩ−ＲＳ（又はＣＳＩ−ＲＳポート）は、共通符号を用いて符号分割多重されてもよい（複数のＲＳは共通符号を適用する）。こうしたケースでは、リソース情報は、共通符号を示してもよい。
【００３２】
ＵＥ１０は、複数のビーム＃１、＃２、・・・、及び＃ｎが適用された複数のＣＳＩ−ＲＳ＃１、＃２、・・・、及び＃ｎをリソース情報を用いて受信してもよい。そして、ＵＥ１０は、複数のＣＳＩ−ＲＳ＃１、＃２、・・・、及び＃ｎの受信品質（チャネル品質）を計算してもよい（例えば、ＣＳＩの導出、ＲＳＲＰの導出等）。ＵＥ１０は、受信品質に基づいて、複数のビーム（リソース）＃１、＃２、・・・、及び＃ｎから少なくとも１つのビーム（リソース）を選択してもよい。例えば、受信品質が最良であるＣＳＩ−ＲＳに適用されたビームが選択されてもよい。例えば、受信品質が最良〜ＭであるＣＳＩ−ＲＳに適用されたＭ個のビームが選択されてもよい。別の例では、ＵＥ１０は、複数のビームの内の一部（例えば、ビーム＃１、＃３、＃５）からビームを選択してもよい。
【００３３】
ステップＳ１０３において、ＵＥ１０は、フィードバック情報をＢＳ２０へ送信してもよい。フィードバック情報は、選択されたビーム（送信リソース）を示してもよい。フィードバック情報の選択されたビームは、ビームインデックス又はＣＳＩ−ＲＳリソースインジケータ（ＣＲＩ）として示されてもよい。フィードバック情報は、選択されたビームの受信品質（例えば、参照信号受信電力（ＲＳＲＰ）、受信信号強度インジケータ（ＲＳＳＩ）、及びチャネル品質インジケータ（ＣＱＩ））、ランクインジケータ（ＲＩ）、並びにプリコーディングマトリクスインジケータ（ＰＭＩ）を含む。
【００３４】
ステップＳ１０４において、ＢＳ２０がフィードバック情報を受信した場合、ＢＳ２０は、（プリコーディングされた）下りリンクデータをＵＥ１０へ送信してもよい。
【００３５】
さらに、本発明の第１の実施例の１つ以上の実施形態に従えば、ＣＳＩ−ＲＳの送信及びＣＳＩの報告は、ＤＣＩがトリガーであってもよい。該トリガーは、参照信号の送信及びＣＳＩの報告に対して単一であってもよく、或いは、参照信号の送信とＣＳＩの報告との間で独立していてもよい。
【００３６】
本発明の第１の実施例の１つ以上の実施形態に従えば、ＢＳ２０がビーム情報（例えば、大まかなＣＳＩ）を予め取得している場合、ＢＳ２０は、ビームの一部を送信しなくてもよい。ＢＳ２０からの送信ビームの数は、切り換えられてもよい。
【００３７】
本発明の第１の実施例１つ以上の実施形態に従えば、ＢＳ２０は、複数のＣＳＩ−ＲＳに適用されたビーム（送信リソース）を示すビーム情報をＵＥ１０へ送信してもよい。例えば、ビーム情報は、複数のＲＳに同一のビームが適用されるか否かを示してもよい。例えば、リソース情報は、ビーム情報を含んでもよい。別の例では、ビーム情報は、リソース情報とは別に送信されてもよい。
【００３８】
本発明の第１の実施例の１つ以上の実施形態に従えば、ＢＳ２０は、ＵＥ１０での受信に用いられる同一のビーム（受信リソース）を用いて複数のＣＳＩ−ＲＳを受信してもよい。
【００３９】
ビームに対するこれらの仮定は、ｑｕａｓｉ  ｃｏ−ｌｏｃａｔｉｏｎ（ＱＣＬ）情報又は空間的ＱＣＬ情報として示されてもよい。これらの情報は、送信側又は受信側での（空間的）ＱＣＬ情報を暗示してもよい。
【００４０】
本発明の第１の実施例の１つ以上の実施形態に従えば、ＢＳ２０は、複数のＣＳＩ−ＲＳに同一の空間的ＱＣＬが適用できるか否かを示す情報をＵＥ１０に通知してもよい。
【００４１】
本発明の第１の実施例の１つ以上の実施形態に従えば、ＢＳ２０は、複数のＣＳＩ−ＲＳに同一の空間的ＱＣＬが適用されると仮定してＵＥが複数のＣＳＩ−ＲＳを受信できるか否かを示す情報をＵＥ１０に通知してもよい。
【００４２】
本発明の第１の実施例の１つ以上の実施形態に従えば、ＵＥ１０は、ＣＳＩ−ＲＳが周波数分割多重される位置を示すリソース情報と、ＣＤＭに関する情報とが同じ情報であり、時分割多重化される複数のＣＳＩ−ＲＳリソースに適用できると仮定してもよい。
【００４３】
本発明の第１の実施例の１つ以上の実施形態に従えば、ＣＳＩ−ＲＳは、偏波アンテナの内の何れかから送信されてもよい。したがって、ＢＳ２０は、１つのアンテナポート又は２つのアンテナポートを用いて複数のＣＳＲ−ＲＳを送信してもよい。別の例として、ＣＳＩ−ＲＳは、両方の偏波アンテナから送信されてもよい。
【００４４】
本発明の第１の実施例の１つ以上の実施形態に従えば、ＵＥ１０は、ＢＳ２０からの複数のビームの受信結果に基づいて少なくとも１つのビームを選択してもよく、そして、ＣＳＩフィードバックをＢＳ２０へ送信してもよい。例えば、ＣＳＩフィードバックは、ビームインデックス（ＢＩ）（又はＣＲＩ）を含んでもよい。さらに、ＣＳＩフィードバックは、選択されたビームに対応する参照信号の受信品質を含んでもよい。
【００４５】
（第２の実施例）
以下、本発明の第２の実施例の実施形態について、図７及び図８を参照して詳細に説明する。本発明の第２の実施例の１つ以上の実施形態に従えば、ＢＳ２０は、アンテナから所定の送信期間内に複数のアナログビーム（例えば、ＯＦＤＭシンボル）を送信してもよい。このことは、ビームスイープのための時間を削減することを可能にする。さらに、複数のビームを同時に送信することによってビーム幅が増加するので、ビームスイープに対するビーム数を削減することが可能であってもよい。本発明の第２の実施例の１つ以上の実施形態に従った方法は、本発明の第１の実施例の１つ以上の実施形態に従った方法に適用されてもよい。
【００４６】
本発明の第２の実施例の１つ以上の実施形態に従えば、例えば、図７に示すように、ＢＳ２０は、アンテナパネル（アンテナエレメントグループ２０１）毎に異なるビームを生成してもよい。図７では、アンテナエレメントグループ２０１ａ、２０１ｂ、２０１ｃ、及び２０１ｄは、アンテナパネル＃１、＃２、＃３、及び＃４にそれぞれ対応する。ビーム＃１及び＃５は、アンテナパネル＃１（アンテナエレメントグループ２０１ａ）から送信されてもよい。ビーム＃２及び＃６は、アンテナパネル＃２（アンテナエレメントグループ２０１ｂ）から送信されてもよい。ビーム＃３及び＃７は、アンテナパネル＃３（アンテナエレメントグループ２０１ｃ）から送信されてもよい。ビーム＃４及び＃８は、アンテナパネル＃４（アンテナエレメントグループ２０１ｄ）から送信されてもよい。さらに、図７では、ビーム＃１、＃２、＃３、及び＃４は、Ｔｘタイミング＃１で送信されてもよく、ビーム＃５、＃６、＃７、及び＃８は、Ｔｘタイミング＃２で送信されてもよい。
【００４７】
図７の一例では、複数のビーム（例えば、ビーム＃１及び＃５）が同じアンテナパネル（例えば、アンテナパネル＃１）から送信される場合、複数のビームは、同じ物理的伝搬路を通過する。一方、図７では、複数のビーム（例えば、ビーム＃１及び＃２）が異なるアンテナパネル（例えば、アンテナパネル＃１及び＃２）から送信され、複数のビームは、異なる物理的伝搬路を通過する。それ故、本発明の第２の実施例の１つ以上の実施形態では、ＵＥ１０は、物理的伝搬路に従って受信処理（例えば、時間／周波数同期処理、及びチャネル推定結果の平均処理）を実施してもよい。例えば、ＢＳ２０は、異なるビームが同じ物理的伝搬路を通過するか、それとも上位若しくは下位レイヤシグナリングを用いて通過するかを示す情報をＵＥ１０に通知してもよい。例えば、伝搬路の情報は、アンテナパネル（アンテナエレメントグループ２０１）毎にＱｕａｓｉ  ｃｏ−ｌｏｃａｔｉｏｎ情報として通知されてもよい。
【００４８】
一方、複数のビームが同じ物理的伝搬路を通過する場合であっても、ＵＥ１０は、複数のビームに同じプリコーダが適用されているか否かに従って異なる受信処理を実施する必要があることがある。それ故、ＢＳ２０は、複数のビームに同じプリコーダが適用されているか否かをＵＥ１０に通知してもよい。例えば、複数のビームに同じプリコーダが適用されているか否かを示す情報は、測定制限情報としてＵＥ１０からＢＳ２０へ送信されてもよい。例えば、複数のビームに同じプリコーダが適用されているか否かを示す情報は、アンテナパネル（アンテナエレメントグループ２０１）毎に送信されてもよい。
【００４９】
本発明の第２の実施例の実施形態の別の例では、ＢＳ２０は、複数のアンテナパネル（アンテナパネルグループ２０１）を用いて、複数のビームに空間多重を適用してもよい。図８に示すように、所定のアンテナエレメントグループ２０１からの複数のビームは空間多重されてもよい。
【００５０】
本発明の第２の実施例の１つ以上の実施形態に従えば、複数のビームを用いて送信されたＣＳＩ−ＲＳ等の参照信号は、周波数分割多重（ＦＤＭ）又はＣＤＭを適用することによって時間多重されてもよい。本発明の１つ以上の実施形態では、ｃｏｍｂベースのＦＤＭは排除されない。
【００５１】
本発明の第２の実施例の１つ以上の実施形態では、上述したように、参照信号がビームフォーミングされるので、複数のビームの信号シーケンスが完全に直交することが要求されなくてもよい。例えば、ＢＳ２０は、所定の送信期間内に送信された複数のビームの信号シーケンスを非直交又は準直交させてもよく、そして、複数のビームを送信してもよい。例えば、ＢＳ２０は、参照信号を非直交多重させてもよい。言い換えれば、ＣＳＩ−ＲＳ、同期信号（ＳＳ）、ビーム固有参照信号（ＢＲＳ）、モビリティＲＳ（ＭＲＳ）、及び測定参照信号（ＭＲＳ）に非直交シーケンスが適用されてもよい。さらに、ＣＳＩ−ＲＳ、ＳＳ，ＢＲＳ、及びＭＲＳにスクランブリングシーケンスが適用されてもよい。例えば、ＣＳＩ−ＲＳ、ＳＳ，ＢＲＳ、及びＭＲＳに適用されるスクランブリングシーケンスは復調参照信号（ＤＭ−ＲＳ）に適用されるスクランブリングシーケンスと同じであってもよい。
【００５２】
本発明の第２の実施例の１つ以上の実施形態に従えば、ＢＳ２０から同時に送信された複数のビームから、高い空間分離度を有するビームが選択されてもよい。
【００５３】
以下、本発明の第１及び第２の実施例の１つ以上の実施形態における多重化されたビーム及びアンテナポートの例について、図９Ａ〜図９Ｄを参照して説明する。図９Ａ〜図９Ｄに示すように、一方の軸は周波数領域を指し、他方の軸は時間領域を指す、図９Ａ〜図９Ｄでは、“１”及び“２”はアンテナポート番号を示し、ハッチングされたブロックはアナログビームを示す。図９Ａ〜図９Ｄの例ではビーム毎のアンテナポート数は“２”であるが、ビーム毎のアンテナポート数は“２”以外の所定値でもよい。
【００５４】
図９Ａは、アナログビーム及びアンテナポートにＦＤＭが適用された一例を示す図である。図９Ｂは、アナログビーム及びアンテナポートにＦＤＭ及びＣＤＭが適用された一例を示す図である。図９Ｃは、複数のアナログビーム及びアンテナポートにＣＤＭが適用された一例を示す図である。図９Ｄは、複数のアナログビーム及びアンテナポートにＦＤＭ及びＣＤＭが適用された一例を示す図である。
【００５５】
（別の例）
以下、本発明の第１及び第２の実施例の別の例の実施形態について、図１０Ａ及び図１０Ｂを参照して説明する。本発明の第１及び第２の実施例の別の例の１つ以上の実施形態に従えば、ＢＳ２０は、アンテナエレメント２０１１を用いて時間単位毎に複数のビームを送信してもよい。図１０Ａ及び図１０Ｂに示すように、ステップＳ２０１において、ＢＳ２０は、リソース情報をＵＥ１０へ送信してもよい。図１０Ａのリソース情報は、図６のリソース情報と同様であってもよい。ステップＳ２０２において、ＢＳ２０は、単位時間（間隔Ｐ２）内に複数のＢＦ  ＣＳＩ−ＲＳ（例えば、ＣＳＲ−ＲＳ＃１〜＃４）のグループを送信してもよい。そして、ＢＳ２０は、間隔Ｐ２内にＣＳＩ−ＲＳ＃５〜＃８を、・・・、及び間隔Ｐ２内にＣＳＩ−ＲＳ＃ｎ−３〜ｎを送信してもよい。ＵＥ１０は、ＣＳＩ−ＲＳの受信品質の結果に基づいて、フィードバック情報をＢＳ２０へ送信してもよい（ステップＳ２０２）。ステップＳ２０４において、ＢＳ２０がフィードバック情報を受信した場合、ＢＳ２０は、（プリコーディングされた）下りリンクデータをＵＥ１０へ送信してもよい。結果として、複数のＣＳＩ−ＲＳが単位時間内に同時に送信されるので、このことは、ビームスイーピングのための時間を削減することを可能にする。
【００５６】
以下、ハイブリッドビームフォーミングに用いられるＢＳ２０の回路の構成の別の例について、図１１を参照して説明する。ハイブリッドビームフォーミングのための回路の構成の別の例に従えば、図１１に示すように、複数のＤＡＣ２００２は、信号を単一のアンテナエレメント２０１１に入力してもよい。言い換えれば、単一のＤＡＣ２００２からの出力は全てのアンテナエレメント２０１１にマッピングされてもよい。図１１の構成に従えば、ＴＸＲＵがより多くのアンテナエレメント２０１１にマッピングされるので、シャープニングされた複数のビームを単位時間内に高利得で生成することが可能であってもよい。本発明の第２の実施例の１つ以上の実施形態に従った上述の技法は図１１の回路の構成に適用されてもよい。
【００５７】
（第３の実施形態）
以下、本発明の第３の実施例の実施形態について、図１２Ａ〜図１２Ｄを参照して詳細に説明する。装置の構成に起因して、デジタルビームフォーミングのスキームのみをハイブリッドビームフォーミングのスキームに適用することは不可能である。それ故、アナログ回路内の位相（及び／又は振幅）の変動が要求されることがある。
【００５８】
本発明の第３の実施例の１つ以上の実施形態に従えば、図１２Ａに示すように、複数の異なるアンテナパネル（アンテナパネル＃１〜＃４）（又はアンテナポート）に同一のアナログビーム（ビーム＃１）が適用されてもよい。したがって、ＢＳ２０は、異なるアンテナパネル（アンテナポート）から同一のアナログビームを送信してもよい。
【００５９】
別の例として、図１２Ｂに示すように、複数の異なるアンテナパネル（アンテナパネル＃１〜＃４）（又はアンテナポート）に異なるアナログビーム（ビーム＃１〜＃４）が適用されてもよい。したがって、ＢＳ２０は、異なるアンテナパネル（アンテナポート）から異なるアナログビームを送信してもよい。
【００６０】
図１２Ａ及び図１２Ｂの上述の方法では、８つのＴｘ  ＣＳＩ−ＲＳに応じてＣＳＩフィードバックが実施されてもよい。すなわち、ＵＥ１０は、全てのアンテナポートに対応するＣＳＩフィードバック報告を送信してもよい。このことは、ＣＳＩフィードバック報告のサイズを削減することを可能にする。
【００６１】
図１２Ａ及び図１２Ｂの上述の方法におけるＣＳＩフィードバックスキームの別の例として、アナログビームの各々に応じてＣＳＩフィードバックが実施されてもよい。例えば、Ｔｘ１〜４、５〜８のＣＳＩ−ＲＳの各々に応じてＣＳＩフィードバックが実施されてもよい。すなわち、ＵＥ１０は、アンテナポートの一部に応じて１つ以上のＣＳＩフィードバック報告を送信してもよく、又はビーム管理を実施してもよい。このことは、ＣＳＩフィードバック報告のサイズを削減することを可能にする。
【００６２】
図１２Ａ及び図１２Ｂの上述の方法のＣＳＩフィードバックスキームは切り換えられてもよい。
【００６３】
本発明の第３の実施例の別の例の１つ以上の実施形態に従えば、図１２Ｃに示すように、各アンテナパネル（又はアンテナポート）から複数のアナログビーム（ビーム＃１及び＃２）が送信されてもよい。
【００６４】
本発明の第３の実施例の別の例の１つ以上の実施形態に従えば、図１２Ｄに示すように、アナログ回路が指向性を有しない（広角のビームを生成するためにビームフォーミングが用いられる）ように、位相変動が適用されてもよい。
【００６５】
図１２Ａ〜図１２Ｄの上述のスキームを示す情報はＵＥ１０に通知されてもよい。
【００６６】
（第４の実施例：ハイブリッドビームフォーミングでのアナログビーム及びデジタルビームの接合選択）
本発明の第１〜第３の実施例の１つ以上の実施形態に従ったアナログビーム及びデジタルビームの選択方法は相互に組み合わせられてもよい。
【００６７】
本発明の第４の実施例の１つ以上の実施形態に従えば、ビームは段階的に決定されてもよい。例えば、アナログビームが決定されてもよく、その後、デジタルビームが決定されてもよい。例えば、デジタルビームが決定されてもよく、その後、アナログビームが決定されてもよい。
【００６８】
本発明の第４の実施例の１つ以上の実施形態に従えば、アナログビーム及びデジタルビームの両方が同時に決定されてもよい。例えば、図１３に示すようなアナログビームのＴｘタイミングと関連付けられたアンテナパネル番号を示すテーブルに基づいて、アナログビームは切り換えられてもよい。例えば、ＵＥ１０は、アナログビームの受信結果に基づき選択された適切なビームを示す情報と、選択されたビームに関連するＣＳＩフィードバック報告とを送信してもよい。
【００６９】
（基地局の構成）
以下、本発明の１つ以上の実施形態に従ったＢＳ２０について、図１４を参照して説明する。図１４は、本発明の１つ以上の実施形態に従ったＢＳ２０の概略的構成を説明する図である。ＢＳ２０は、複数のアンテナ（アンテナエレメントグループ）２０１、増幅器２０２、送受信部（送信部／受信部）２０３、ベースバンド信号処理部２０４、呼処理部２０５、及び伝送路インターフェース２０６を具備する。
【００７０】
ＢＳ２０からＵＥ２０へＤＬ上で送信されたユーザデータは、コアネットワーク３０から伝送路インターフェース２０６を通じてベースバンド信号処理部２０４に入力される。
【００７１】
ベースバンド信号処理部２０４では、信号に対して、ＰＤＣＰ（Ｐａｃｋｅｔ  Ｄａｔａ  Ｃｏｎｖｅｒｇｅｎｃｅ  Ｐｒｏｔｏｃｏｌ）レイヤ処理、ユーザデータの分割・結合及びＲＬＣ再送制御送信処理等のＲＬＣ（Ｒａｄｉｏ  Ｌｉｎｋ  Ｃｏｎｔｒｏｌ）レイヤ送信処理、例えばＨＡＲＱ送信処理を含む媒体アクセス制御（ＭＡＣ）再送制御、スケジューリング、トランスポートフォーマット選択、チャネルコーディング、逆高速フーリエ変換（ＩＦＦＴ）処理、並びにプリコーディング処理等の処理を行う。そして、得られた信号は各送受信部２０３へ転送される。ＤＬ制御チャネルの信号は、チャネルコーディング及び逆高速フーリエ変換を含む送信処理が実施され、得られた信号は各送受信部２０３へ送信される。
【００７２】
ベースバンド信号処理部２０４は、セル内の通信用の制御情報（システム情報）を上位レイヤシグナリング（例えば、ＲＲＣシグナリング及び報知チャネル）により各ＵＥ１０に通知する。セル内の通信用の情報には、例えば、ＵＬ又はＤＬのシステム帯域幅が含まれる。
【００７３】
各送受信部２０３において、アンテナ毎にプリコーディングされ、ベースバンド信号処理部２０４から出力されたベースバンド信号は、周波数変換処理されて無線周波数帯域に変換される。増幅器２０２は、周波数変換された無線周波信号を増幅し、得られた信号は、アンテナ２０１から送信される。
【００７４】
ＵＥ１０からＢＳ２０へＵＬ上で送信されるデータは、無線周波数信号が各アンテナ２０１で受信され、増幅器２０２で増幅され、送受信部２０３において周波数変換されてベースバンド信号に変換され、ベースバンド信号処理部２０４に入力される。
【００７５】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、並びにＲＬＣレイヤ及びＰＤＣＰレイヤ受信処理を行う。そして、得られた信号は伝送路インターフェース２０６を介してコアネットワーク３０へ転送される。呼処理部２０５は、通信チャネルの設定及び解除、ＢＳ２０の状態管理、並びに無線リソースの管理等の呼処理を実施する。
【００７６】
（ユーザ装置の構成）
以下、図１５を参照して、本発明の１つ以上の実施形態に従ったＵＥ１０について説明する。図１５は、本発明の１つ以上の実施形態に従ったＵＥ１０の概略的構成である。ＵＥ１０は、複数のＵＥアンテナ１０１、増幅器１０２、送受信部（送信部／受信部）１０３１を具備する回路１０３、コントローラ１０４、及びアプリケーション部１０５を具備する。
【００７７】
ＤＬに関して、ＵＥアンテナ１０１で受信された無線周波数信号は、個別の増幅器１０２で増幅され、送受信部１０３１においてベースバンド信号に周波数変換される。これらのベースバンド信号には、コントローラ１０４において、ＦＦＴ処理、誤り訂正復号、及び再送制御等の受信処理がなされる。ＤＬユーザデータは、アプリケーション部１０５へ転送される。アプリケーション部１０５は、物理レイヤ及びＭＡＣレイヤよりも上の上位レイヤに関連する処理を実施する。下りデータでは、報知情報もアプリケーション１０５へ転送される。
【００７８】
一方、ＵＬユーザデータは、アプリケーション部１０５からコントローラ１０４に入力される。コントローラ１０４では、再送制御（Ｈｙｂｒｉｄ  ＡＲＱ）送信処理、チャネル符号化、プリコーディング、ＤＦＴ処理、ＩＦＦＴ処理等が実施され、得られた信号は各送受信部１０３１へ転送される。送受信部１０３１では、コントローラ１０４から出力されたベースバンド信号が無線周波数帯に変換される。その後、周波数変換された無線周波信号は、増幅器１０２で増幅され、その後、送受信アンテナ１０１から送信される。
【００７９】
本発明の１つ以上の実施形態は、上りリンク及び下りリンクの各々に独立して用いられてもよい。本発明の１つ以上の実施形態は、上りリンク及び下りリンクの各々に共通して用いられてもよい。
【００８０】
本開示は、ＬＴＥ／ＬＴＥ−Ａに基づくチャネル及びシグナリングスキームの例を主に説明したが、本発明はそれらに限定されない。本発明の１つ以上の実施形態は、ＬＴＥ／ＬＴＥ−Ａ、新たな無線（ＮＲ）、新たに定義されたチャネル及びシグナリングスキームと同じ機能を有する別のチャネル及びシグナリングスキームに適用してもよい。
【００８１】
本開示は、ＣＳＩ−ＲＳに基づくチャネル推定及びＣＳＩフィードバックスキームの例を主に説明したが、本発明はそれらに限定されない。本発明の１つ以上の実施形態は、同期信号（ＳＳ）、測定ＲＳ（ＭＲＳ）、モビリティＲＳ（ＭＲＳ）、及びビームＲＳ（ＢＲＳ）等の、別の同期信号、参照信号、及び物理チャネルに適用されてもよい。
【００８２】
本開示は、ビームフォームドＣＳＩ−ＲＳの一例を説明したが、本開示のビームフォームドＣＳＩ−ＲＳは、ＣＳＩ−ＲＳ、ＣＳＩ−ＲＳリソース、ＣＳＩ−ＲＳリソースセット等に置き換えられてもよい。
【００８３】
本開示は、デジタルビームフォーミング及びアナログビームフォーミングに基づく様々なプリコーディング方法の例を主に説明したが、本発明の１つ以上の実施形態は、デジタルビームフォーミング及びアナログビームフォーミングに関わらず、適用されてもよい。
【００８４】
本開示は、様々なシグナリング方法の例を主に説明したが、本発明の１つ以上の実施形態に従ったシグナリングは、ＲＲＣシグナリング等の上位レイヤシグナリング及び／又はＤＣＩ等の下位レイヤシグナリングであってもよい。さらに、本発明の１つ以上の実施形態に従ったシグナリングは、ＭＩＢ、ＳＩＢ、及び／又は媒体アクセス制御（ＭＡＣ）制御エレメントを用いてもよい。
【００８５】
本開示は、様々なシグナリング方法の例を主に説明したが、本発明の１つ以上の実施形態に従ったシグナリングは、明示的に又は黙示的に実施されてもよい。
【００８６】
本開示は、平面アンテナを具備するＵＥの例を主に説明したが、本開示はそれに限定されない。本開示の１つ以上の実施形態はまた、一次元アンテナ及び所定の三次元アンテナを具備するＵＥに適用されてもよい。
【００８７】
本発明の１つ以上の実施形態では、本開示におけるリソースブロック（ＲＢ）及びサブキャリアは相互に置き換えられてもよい。サブフレーム及びシンボルは相互に置き換えられてもよい。
【００８８】
上記の実施例及び修正された実施例は相互に組み合されてもよく、これらの実施例の様々な特徴は様々な組み合わせで相互に組み合されてもよい。発明は、本明細書に開示された特定の実施形態に限定されない。
【００８９】
本開示は限定された数の実施形態に関してのみ記載されたが、本開示の利益を有する当業者は、本発明の範囲から逸脱することなく様々な他の実施形態が考案され得ることを理解するであろう。したがって、本発明の範囲は、添付の特許請求の範囲によってのみ限定されるべきである。
【符号の説明】
【００９０】
１  無線通信システム
１０  ユーザ装置（ＵＥ）
１０１  アンテナ
１０２  増幅器
１０３  回路
１０３１  送受信部（送信部／受信部）
１０４  コントローラ
１０５  アプリケーション部
１０６  スイッチ
２０  基地局（ＢＳ）
２００１  ベースバンドプリコーダ
２００２  デジタル−アナログ変換器（ＤＡＣ）
２００３  アナログプリコーダ（位相・振幅コントローラ）
２０１  アンテナエレメントグループ（アンテナ）
２０１１  アンテナエレメント
２０２  増幅器
２０３  送受信部（送信部／受信部）
２０４  ベースバンド信号処理部
２０５  呼処理部
２０６  伝送路インターフェース
【図１Ａ】
2020503709.tif 000003
【図１Ｂ】
2020503709.tif 000004
【図１Ｃ】
2020503709.tif 000005
【図２】
2020503709.tif 000006
【図３】
2020503709.tif 000007
【図４】
2020503709.tif 000008
【図５】
2020503709.tif 000009
【図６】
2020503709.tif 000010
【図７】
2020503709.tif 000011
【図８】
2020503709.tif 000012
【図９Ａ】
2020503709.tif 000013
【図９Ｂ】
2020503709.tif 000014
【図９Ｃ】
2020503709.tif 000015
【図９Ｄ】
2020503709.tif 000016
【図１０Ａ】
2020503709.tif 000017
【図１０Ｂ】
2020503709.tif 000018
【図１１】
2020503709.tif 000019
【図１２Ａ】
2020503709.tif 000020
【図１２Ｂ】
2020503709.tif 000021
【図１２Ｃ】
2020503709.tif 000022
【図１２Ｄ】
2020503709.tif 000023
【図１３】
2020503709.tif 000024
【図１４】
2020503709.tif 000025
【図１５】
2020503709.tif 000026
【国際調査報告】
2020503709.tif 000027
2020503709.tif 000028